(57)【要約】【課題】カメラ制御基板に実装された発熱部品を効率良く冷却することができ、更に、複数種類のレンズを搭載する場合にも容易に対応可能なカメラケースを提供する。【解決手段】撮像装置を収納する密閉型のカメラケースにおいて、撮像装置の撮像素子が発生する熱を放熱するための放熱フィンと、放熱フィンに空気流を吹き出すファンと、放熱フィンとファンとの間に設けられ、ファンに対応する位置に複数の開口部を有する仕切板と、放熱フィンから流れる空気を流入し、所定の方向に吹き出すチャンバと、を有し、チャンバが、チャンバの構成の一部に、撮像装置を制御するための制御基板を備える。【選択図】  図２
2012044300.tif 000002
【特許請求の範囲】
【請求項１】
撮像装置を収納する密閉型のカメラケースにおいて、
前記撮像装置の撮像素子が発生する熱を放熱するための放熱フィンと、
前記放熱フィンに空気流を吹き出すファンと、
前記放熱フィンと前記ファンとの間に設けられ、前記ファンに対応する位置に複数の開
口部を有する仕切板と、
前記放熱フィンから流れる空気を流入し、所定の方向に吹き出すチャンバと、を有し、前記チャンバが、前記チャンバの構成の一部に、前記撮像装置を制御するための制御基板を備えたことを特徴とするカメラケース。
【発明の詳細な説明】
【技術分野】
【０００１】
本発明は、カメラケースに関わり、特に密閉型のカメラケースに収納された高感度撮像装置の冷却技術に関する。
【背景技術】
【０００２】
ＥＭ−ＣＣＤ（ Electron Multiplying - Charge
Coupled Device ）等の高感度撮像素子を使用する撮像装置においては、高感度撮像素子の性能を最大限に引き出すため、外気温度が比較的に高い環境においても高感度撮像素子の温度を十分に低温に保つようにする必要がある。
【０００３】
従来、監視用途等に用いられるテレビカメラ等の撮像装置の冷却構造では、高感度撮像素子冷却用のペルチェ素子の放熱部を撮像装置の筐体部に接触させることによって冷却する構造が主流であった。
しかし、撮像素子冷却用のペルチェ素子の放熱部を撮像装置の筐体部に接触させることによる冷却構造だけでは、冷却が必要な高感度撮像素子の内部温度及び電源部を低温に維持することが容易ではなく、冷却効果を充分に得ることができない場合が多かった。
【０００４】
そこで本出願人は、特許文献１に開示されたように、撮像素子や電源で発生する熱をカメラケース内部で対流させ空気循環させる手段を備えた冷却構造を提案した。
特許文献１に開示された冷却構造は、撮像装置が発生する熱を対流し空気循環させるためのカメラケースの冷却構造において、撮像装置内で発生する熱を放熱するための放熱フィンと、放熱フィンに向けて空気流を発生させるためのファンと、放熱フィンとファンとの間に設置されてファンの空気吹き出し口に対応する位置に複数の開口部を有する仕切部材と、放熱フィンから流入した空気を溜めて所定の方向に吹き出すためのチャンバとを備えた冷却構造となっている。
【先行技術文献】
【特許文献】
【０００５】
【特許文献１】特開２０１０−４１０８５号公報
【発明の概要】
【発明が解決しようとする課題】
【０００６】
ここで、従来のカメラケースに収納された撮像装置の構成について、図３及び図４を使って説明する。
図３は、従来のカメラケースに収納された撮像装置１００の前方斜視図であり、図４は、図３における撮像装置１００のレンズ部１０１の中心を通る鉛直面に沿ったＢ−Ｂ断面を示す図である。
従来のカメラケース（図示せず）に収納された撮像装置１００は、レンズ部１０１と、レンズ部１０１を通して被写体を撮像するための撮像素子部１０２と、撮像素子部１０２で発生する熱を放熱するための放熱フィン１０３と、レンズ部１０１の上部に載置され、撮像装置１００を制御するためのカメラ制御基板１０４と、放熱フィン１０３に向けて空気流を発生させるためのファン１０５と、放熱フィン１０３とファン１０５との間に設置されてファン１０５の空気吹き出し口に対応する位置に複数の開口部を有する仕切部材１０６と、放熱フィン１０３から流入した空気を溜めて所定の方向に吹き出すためのエアチャンバ１０７とを有する構成となっている。
次に、従来の撮像装置１００の冷却方法について説明する。図４に示すように、まず、ファン１０５で発生させた風を放熱フィン１０３に当てる。放熱フィン１０３は、垂直方向に複数のフィンが並んだ構成となっており、放熱フィン１０３に当たった風は、放熱フィン１０３に沿って、矢印ｄ１、ｄ２のように、上下２方向に流れる。この風の内、放熱フィン１０３の上方向に流れる風を仕切部材１０６に連結させたエアチャンバ１０７によって前方のカメラ制御基板１０４に送るようにしている。
つまり、エアチャンバ１０７の前方出口１０７ａから出る風をカメラ制御基板１０４に沿って流すことによって、カメラ制御基板１０４に実装された発熱部品から発生する熱をこの風で冷却している。
【０００７】
しかし、従来の撮像装置１００では、ファン１０５で発生させた風をエアチャンバ１０７によってレンズ部１０１の上部に載置したカメラ制御基板１０４に送り、放熱する構造の為、レンズ部１０１のレンズを他のレンズに変更しようとした場合には、変更するレンズの形状によっては、レンズ部の上部に載置したカメラ制御基板の形状や配置も変更しなければならないという問題があった。
【０００８】
本発明は、このような従来の事情に鑑みなされたものであり、カメラ制御基板に実装された発熱部品を効率良く冷却することができ、更に、複数種類のレンズを搭載する場合にも容易に対応可能なカメラケースを提供することを目的としている。
【課題を解決するための手段】
【０００９】
上述した課題を解決し、目的を達成するため、本発明の請求項１に係る発明は、撮像装置を収納する密閉型のカメラケースにおいて、前記撮像装置の撮像素子が発生する熱を放熱するための放熱フィンと、前記放熱フィンに空気流を吹き出すファンと、前記放熱フィンと前記ファンとの間に設けられ、前記ファンに対応する位置に複数の開口部を有する仕切板と、前記放熱フィンから流れる空気を流入し、所定の方向に吹き出すチャンバと、を有し、前記チャンバが、前記チャンバの構成の一部に、前記撮像装置を制御するための制御基板を備えたことを特徴とする。
【発明の効果】
【００１０】
本発明によれば、放熱フィンからの風を直接カメラ制御基板に当て、カメラの前方に風を流す構造となる為、カメラ制御基板に実装された発熱部品を効率良く冷却することができるという効果がある。また、レンズと撮像素子部の連結部より後方にカメラ制御基板が配置される構造の為、カメラ制御基板の配置を変更するなど構造を変更すること無しに多種のレンズと組合せることができるという効果がある。
【図面の簡単な説明】
【００１１】
【図１】本発明の一実施形態のカメラケースに収納された撮像装置２の前方斜視図である。
【図２】図１における撮像装置２のレンズ部１１の中心を通る鉛直面に沿ったＡ−Ａ断面を示す図である。
【図３】従来のカメラケースに収納された撮像装置１００の前方斜視図である。
【図４】図３における撮像装置１００のレンズ部１０１の中心を通る鉛直面に沿ったＢ−Ｂ断面を示す図である。
【発明を実施するための形態】
【００１２】
以下に、本発明の一実施形態のカメラケースに収納された撮像装置の構成について、図１及び図２を使って説明する。
図１は、本発明の一実施形態のカメラケースに収納された撮像装置２の前方斜視図である。また、図２は、図１における撮像装置２のレンズ部１１の中心を通る鉛直面に沿ったＡ−Ａ断面を示す図である。
【００１３】
図１及び図２に示すように、本発明の一実施形態のカメラケース（図示せず）に収納された撮像装置２は、レンズ部１１と、レンズ部１１を通して被写体を撮像するための撮像素子部１２と、撮像素子部１２で発生する熱を放熱するための放熱フィン１３と、放熱フィン１３に向けて空気流を発生させるためのファン１５と、放熱フィン１３とファン１５との間に設置されてファン１５の空気吹き出し口に対応する位置に複数の開口部を有する仕切部材１６と、放熱フィン１３から流入した空気を溜めて所定の方向に吹き出すためのエアチャンバ１７とを有する構成となっている。
また、エアチャンバ１７は、左右方向を囲うための左側面部材１７ａ、右側面部材１７ｂと、上下方向を囲うため上部に配置し、撮像装置２を制御するためのカメラ制御基板１４と、底板部材１８とから構成されている。
つまり、カメラ制御基板１４がエアチャンバ１７の一部を構成する構造となっている。
【００１４】
次に、本発明の一実施形態のカメラケース（図示せず）に収納された撮像装置２の冷却方法について説明する。図２に示すように、まず、ファン１５で発生させた風を放熱フィン１３に当てる。放熱フィン１３は、垂直方向に複数のフィンが並んだ構成となっており、放熱フィン１３に当たった風は、放熱フィン１３に沿って、矢印ｂ１、ｂ２のように、上下２方向に流れる。この風の内、放熱フィン１３の上方向に流れる風ｂ１は、仕切部材１６に連結させたエアチャンバ１７内に入り、エアチャンバ１７を構成するカメラ制御基板１４に当たって前方に流れるようにしている。
つまり、放熱フィン１３から出る風をカメラ制御基板１４に沿って流すことによって、カメラ制御基板１４に実装された発熱部品から発生する熱をこの風で冷却している。
【００１５】
なお、エアチャンバ１７の下部に底板部材１８を配置したが、上部に配置したカメラ制御基板１４を２分割し、分割した内の１つのカメラ制御基板を底板部材１８に代えて配置しても良い。    
【符号の説明】
【００１６】
２：撮像装置 、１１：レンズ部、１２：撮像素子部、１３：放熱フィン、１４：カメラ制御基板、１５：ファン、１６：仕切部材、１７：エアチャンバ、１７ａ：左側面部材、１７ｂ：右側面部材、１８：底板部材、１００：撮像装置、１０１：レンズ部、１０２：撮像素子部、１０３：放熱フィン、１０４：カメラ制御基板、１０５：ファン、１０６：仕切部材、１０７：エアチャンバ、１０７ａ：出口。
【図１】
2012044300.tif 000003
【図２】
2012044300.tif 000004
【図３】
2012044300.tif 000005
【図４】
2012044300.tif 000006